(57)【特許請求の範囲】
【請求項１】
等階級について評価された複数の物品を搬送する主搬送路に、前記等階級毎に割り当てられた複数の排出路を接続し、前記複数の物品をそれぞれの等階級に基づき前記複数の排出路に仕分する仕分手段と、
前記複数の排出路に対応して配置され、個々の前記排出路に仕分される物品を識別するための識別情報であって該物品の等階級を含む複数の識別情報を各々表示する複数の表示手段と、
前記複数の排出路に対応して配置され、個々の前記排出路に仕分される物品の前記識別情報を示した識別標を作成して供給する複数の供給手段と、を備え、
前記表示手段は前記複数の識別情報を表示する画面を有し、
前記表示手段の前記画面から作業者が識別情報を選択し指示することにより、前記供給手段は選択した識別情報を示す前記識別標を作成することを特徴とすることを特徴とする仕分表示装置。
【請求項２】
前記排出路に仕分された物品がその等階級毎に収納される複数の容器を備え、
前記供給手段が、個々の前記容器に付される貼着シートに、その容器に収納される物品の識別情報を印刷することにより、前記識別標を形成し、
前記複数の排出路に対応して配置された前記表示手段が有する画面は、各排出路に仕分される物品を識別するための識別情報を、各排出路毎に列を異ならせて表示することを特徴とする請求項１に記載の仕分表示装置。
【請求項３】
等階級について評価された複数の物品を搬送し、前記複数の物品をそれぞれの等階級毎に割り当てられた複数の排出路に仕分する工程と、
前記複数の排出路に対応する位置に、個々の前記排出路に仕分される物品を識別するための識別情報であって該物品の等階級を含む複数の識別情報をそれぞれ表示する工程と、
前記排出路に仕分された物品をその等階級毎に容器に収納する工程と、
前記複数の排出路に対応する位置に、個々の前記容器に収納される物品の前記識別情報を記した識別標を作成してそれぞれ供給する工程と、を含み、
前記複数の識別情報を、表示手段の有する画面が表示し、
前記識別標を、供給手段が供給し、
前記表示手段の前記画面から作業者が識別情報を選択し指示することにより、前記供給手段は選択した識別情報を示す前記識別標を作成することを特徴とする仕分表示方法。
【発明の詳細な説明】
【技術分野】
【０００１】
本発明は、物品の仕分される排出路に対応させて物品の等階級を表示し、物品の収納される容器に識別標を付する仕分表示装置、及び仕分表示方法に関する。
【背景技術】
【０００２】
図６は、〈１〉〜〈８〉の符号で識別される複数の排出路１０１と、これら第１〜第８の排出路１０１の末端から排出される物品１０３を矢印Ｙの向きに搬送する４列のコンベヤ１０５と、物品１０３の等階級を表す文字、又は記号が印字された６枚の識別ラベル１０７とを示している。図に表れていない仕分装置が、複数の物品１０３をそれぞれの等階級毎に第１〜第８の排出路１０１に仕分する。例えば、第１の排出路１０１から排出される等級「秀」で階級「２Ｌ」の物品１０３は、図中の左から１列目のコンベヤ１０５により搬送される。
【０００３】
物品１０３は、コンベヤ１０５の終端に達したところで、作業者によってコンベヤ１０５から取り上げられ、段ボール箱等の容器に収納される。作業者は、物品１０３を収納した容器に、その中の物品１０３の等階級を表す識別ラベル１０７を貼り付ける。３列目のコンベヤ１０５が、等級「優」で階級「３Ｌ」のりんご、及び等級「優」で階級「Ｓ」のりんごを搬送する場合、３列目のコンベヤ１０５の終端付近に「りんご優３Ｌ」、及び「りんご優Ｓ」を表示した識別ラベル１０７が適時に別の作業者によって配布される。
【０００４】
しかしながら、識別ラベル１０７の表示は、これを一見した者に誤認され、又は混同されるものが少なくない。そのために識別ラベル１０７が配布されるべき３列目のコンベヤ１０５と異なるコンベヤの終端付近に誤って配布されることがある。この誤って配布された識別ラベル１０７が容器に貼り付けられると、容器の中の物品１０３の等階級と同容器に貼り付けた識別ラベル１０７の表示とが食い違うという問題が起こる。この修正に要する手間と時間が更に問題となる。
【０００５】
また、個々の排出路１０１に仕分される物品１０３が、その等階級と異なる別の物品１０３に替えられることがある。第７，８の排出路１０１に仕分されている図示の物品１０３が、例えば等級「秀」で階級「Ｓ」の物品１０３に替えられるとき、識別ラベル１０７の取り替えが必要になる。即ち、４列目のコンベヤ１０５の終端付近に置かれた「りんご優Ｍ」を表示した識別ラベル１０７が回収され、「りんご秀Ｓ」を表示した識別ラベル１０７が新たに配布される。この作業を待つために、総ての排出路１０１からの物品１０３の排出を中断する時間が無駄になる。
【０００６】
特許文献１，２は、物品をその等階級毎に選別する選別装置を開示している。特許文献３，４は、物品を複数の経路へ仕分する仕分装置を開示している。特許文献５は、物品を識別するための識別情報を貼付ラベルに印字するプリンティングラベル装置を開示している。
【先行技術文献】
【特許文献】
【０００７】
【特許文献１】特開平１−１８９３８０号公報
【特許文献２】特開平２−２６６８６号公報
【特許文献３】特開２００５−７５６３６号公報
【特許文献４】特開２００４−１３７０４５号公報
【特許文献５】特開平１０−８１３２１号公報
【発明の概要】
【発明が解決しようとする課題】
【０００８】
本発明は、上記の実情に鑑みて為されたものであり、その目的とするところは、物品を識別するための識別標を容器に適正に付すことができ、しかも物品替えに即応できる仕分表示装置、及び仕分表示方法を提供することにある。
【課題を解決するための手段】
【０００９】
本発明は、等階級について評価された複数の物品を搬送する主搬送路に、前記等階級毎に割り当てられた複数の排出路を接続し、前記複数の物品をそれぞれの等階級に基づき前記複数の排出路に仕分する仕分手段と、前記複数の排出路に対応して配置され、個々の前記排出路に仕分される物品を識別するための識別情報であって該物品の等階級を含む複数の識別情報を各々表示する複数の表示手段と、前記複数の排出路に対応して配置され、個々の前記排出路に仕分される物品の前記識別情報を示した識別標を作成して供給する複数の供給手段と、を備え、前記表示手段は前記複数の識別情報を表示する画面を有し、前記表示手段の前記画面から作業者が識別情報を選択し指示することにより、前記供給手段は選択した識別情報を示す前記識別標を作成することを特徴とすることを特徴とする。
【００１０】
また、本発明は、前記排出路に仕分された物品がその等階級毎に収納される複数の容器を備え、前記供給手段が、個々の前記容器に付される貼着シートに、その容器に収納される物品の識別情報を印刷することにより、前記識別標を形成し、前記複数の排出路に対応して配置された前記表示手段が有する画面は、各排出路に仕分される物品を識別するための識別情報を、各排出路毎に列を異ならせて表示することを特徴とする。
【００１１】
本発明は、前記表示手段は前記識別情報を表示する画面を有し、前記表示手段の前記画面から作業者が指示することにより、前記供給手段は前記識別標を作成することを特徴とする。
【００１２】
また、本発明は、等階級について評価された複数の物品を搬送し、前記複数の物品をそれぞれの等階級毎に割り当てられた複数の排出路に仕分する工程と、前記複数の排出路に対応する位置に、個々の前記排出路に仕分される物品を識別するための識別情報であって該物品の等階級を含む複数の識別情報をそれぞれ表示する工程と、前記排出路に仕分された物品をその等階級毎に容器に収納する工程と、前記複数の排出路に対応する位置に、個々の前記容器に収納される物品の前記識別情報を記した識別標を作成してそれぞれ供給する工程と、を含み、前記複数の識別情報を、表示手段の有する画面が表示し、前記識別標を、供給手段が供給し、前記表示手段の前記画面から作業者が識別情報を選択し指示することにより、前記供給手段は選択した識別情報を示す前記識別標を作成することを特徴とする。
【００１３】
前記識別情報を、表示手段の有する画面が表示し、前記識別標を、供給手段が供給し、前記表示手段の前記画面から作業者が指示することにより、前記供給手段は前記識別標を作成することを特徴とする。
【発明の効果】
【００１４】
本発明に係る仕分表示装置によれば、物品を等階級毎に割り当てられた複数の排出路に仕分し、複数の排出路に対応して配置された複数の表示手段に、個々の排出路に仕分される物品の識別情報を表示させる。識別情報には、個々の排出路に仕分される物品の等階級、及び個々の容器に収納される物品の個数の少なくとも１つが含まれるようにする。物品を容器に収納する作業者は、表示手段の表示する識別情報を一見するだけで、その識別情報に合致する物品を複数の排出路から排出される物品の中から端的に特定することができる。
【００１５】
更に、複数の排出路に対応して配置された複数の供給手段が、個々の排出路に仕分される物品の識別情報を示した識別標を供給する。上記の作業者は、ここに述べた識別標を容器に付するだけで良いので、識別標の表示と容器に収納する物品とを逐一に照合する負担を軽減される。識別標が貼着シートに物品の識別情報を印刷したものである場合、識別標を容器に付する作業が容易である。
【００１６】
また、排出路に仕分される物品が別の種類の物品に替えられたとき、その時点で表示手段が別の物品の識別情報を表示し、供給手段が別の物品の識別情報を示した識別標を供給するので、作業者が識別標を容器に付する作業を中断しなくて済むという利点がある。以上に述べた効果は、本発明に係る仕分表示方法によっても達成される。
【図面の簡単な説明】
【００１７】
【図１】本発明に係る実施形態の仕分表示装置の要部の平面図。
【図２】図１のＡ−Ａ線断面図。
【図３】（ａ）は本発明に係る実施形態の仕分表示装置に適用した表示手段、及び供給手段の側面図、（ｂ）はその正面図。
【図４】本発明の実施形態の仕分表示装置に適用した識別標を容器に付す手順を説明する斜視図。
【図５】本発明に係る実施形態の仕分表示装置の要部の構成を示すブロック図。
【図６】従来例の仕分表示方法を説明する概略図。
【発明を実施するための形態】
【００１８】
本発明の実施形態に係る仕分表示装置について先ずは説明する。以下に記す物品とは、トマト、芋、ピーマン等の野菜、又はナシ、リンゴ、ミカン等の果物を含意する。
【００１９】
図１〜図４に示すように、仕分表示装置１は、等階級について評価された物品３を等階級毎に割り当てられた複数の排出路５に仕分する仕分手段７と、個々の排出路５に仕分される物品３を識別するための識別情報を表示する複数の表示手段９と、個々の排出路５に仕分される物品３の識別情報を示した識別標１１を供給する複数の供給手段１３とを備える。更に、仕分表示装置１は、複数の排出路５から排出される物品３を搬送する搬送手段１５を備えることが好ましい。
【００２０】
図１，２に示す主搬送路１７は、トレー１９に受け止められた物品３を矢印Ｘの向きに搬送するベルトコンベヤ、又はローラーコンベヤである。トレー１９を省略し物品３を直に主搬送路１７に載せても良い。複数の物品３が主搬送路１７により搬送される行程で、図に表れていない画像センサー等により物品３の等階級が判定される。仕分手段７は、主搬送路１７に複数の排出路５を隣接し、主搬送路１７に対して排出路５の反対側に、スイングアーム２１を旋回させる押出手段２３を配置している。個々の排出路５は、水平方向に並列された複数のローラ２５で物品３を受け止め、ローラ２５を駆動源で回転させることにより、物品３を矢印Ｙの向きに排出するローラーコンベヤである。
【００２１】
押出手段２３がスイングアーム２１を図示の姿勢で待機させているとき、主搬送路１７に搬送される物品３は、スイングアーム２１に接触することなく、排出路５の正面を通過する。例えば、図１の左から３番目の排出路５'へ仕分の対象となる物品３を排出させる場合、排出路５'の正面に物品３が達する直前に、同図の左から３番目のスイングアーム２１が主搬送路１７を横切る姿勢になるよう旋回される。このスイングアーム２１の動作に従い物品３は主搬送路１７から排出路５'へ排出される。
【００２２】
搬送手段１５は、排出路５から排出された物品３を作業者２７の手元へ下降させる傾斜コンベヤであっても良い。また、搬送手段１５の幅を二等分する位置には、隣合う２つの排出路５から排出される物品３を隔てる仕切板２９が設けられている。符号３１は、物品３を排出路５から搬送手段１５へ案内するガイドレールを指している。
【００２３】
図３，４に示すように、供給手段１３は、容器３３に貼り付けられる貼着シート３５に、その容器３３に収納される物品３の識別情報を印刷することにより、識別標１１を作成するプリンタである。貼着シート３５に印刷される識別情報は、物品３の名称、種類、識別番号、個々の排出路５に仕分される物品３の等階級、個々の容器３３に収納される物品３の個数、及びバーコードのうちの少なくとも１つを含んでいる。図４は、物品３の等級が「秀」、物品３の個数が「１６玉」として識別標１１に印字された例を示している。容器３３は、作業者２７の手元に準備される段ボール箱であり、その上部を折り目線３７に沿って内側へ折り込むことにより蓋を形成することができる。容器３３の仕様、及び材質は何ら限定されることはない。作業者２７が物品３を容器３３に収納する手順については後述する。
【００２４】
表示手段９は、図５に示すコンピュータ３９に接続したディスプレイである。記録媒体４１は、コンピュータ３９が読み取り可能なプログラムを記録している。このプログラムは、複数の物品３の識別情報を表示手段９に出力する手順、表示手段９に出力された複数の物品３の識別情報の中から作業者２７が選択した識別情報を認識する手順、及び複数の物品３の中から選択された物品３の識別情報を供給手段１３に印刷させる手順をコンピュータ３９に実行させるものである。
【００２５】
図５に示す表示手段９の画面は、複数の物品３の識別番号が「１１１，１２１，１２２，１３１，１３２，１４１」、名称が「△△」、等級が「秀，○秀」、１つの容器３３にそれぞれ収納される個数が「２８玉，１６玉，４０玉，１６玉，３６玉，３２玉」であることを表している。ここに例示した識別情報は、表示手段９の複数に区画された画面領域４３に分けて表示され、１つの物品３の識別情報は１つの画面領域４３に収められる。表示手段９にタッチパネルを適用した場合、作業者２７による識別情報の選択は、作業者２７が何れか１つの画面領域４３を指で触れることにより、その画面に表示された識別情報がコードとしてコンピュータ３９に入力されるようにしても良い。
【００２６】
図３は、表示手段９を供給手段１３に取り付けた例を示している。これら１組の表示手段９、及び供給手段１３の設置される位置は４つの排出路５に対応する。ここで対応とは、１つの表示手段９により識別情報を表示された複数の物品３が何れの排出路５から排出されるものであるかを、作業者２７が容易に見定められるように、表示手段９、及び供給手段１３の位置を排出路５に関連させることを意味する。
【００２７】
即ち、図３に示す１組の表示手段９、及び供給手段１３が図１に例示した５つの設置場所４５にそれぞれ設置されている。１つの設置場所４５の表示手段９に表示される識別情報は、２人の作業者２７によって確認されるものとする。表示手段９の画面を確認した作業者２７は、図１に示す１つの設置場所４５に搬送手段１５の上流側から対向する４つの排出路５のうちの図中の左側から１番目の排出路５に排出される物品３の識別番号が「１１１」で、２番目の排出路５に排出される２種類の物品３の識別番号が「１２１，１２２」であることを一目で理解できる。更に、作業者２７は、３番目の排出路５に排出される２種類の物品３の識別番号が「１３１，１３２」で、４番目の排出路５に排出される物品３の識別番号が「１４１」であることを理解できる。
【００２８】
本発明の実施形態に係る仕分表示装置１を使用した仕分表示方法について以下に説明する。図面は特に断らない限り図１〜図５を参照する。複数の物品３を複数の排出路５に仕分し、複数の表示手段９が、個々の排出路５に仕分される物品３の識別情報を表示する手順は、既述の通りである。
【００２９】
例えば、図５に示す「１２１ △△ 秀 １６玉」は、１つの容器３３に収納される数を１６個と定められた物品３の識別情報であり、「１２２ △△ 秀 ４０玉」は、１つの容器３３に収納される数を４０個と定められた物品３の識別情報である。これらの物品３は、上記の２番目の排出路５から排出されるが、互いに大きさを著しく違えるので、作業者２７の目視によって容易に判別される。
【００３０】
作業者２７は、排出路５から排出され物品３の識別情報を、物品３の大きさから「１２１ △△ 秀 １６玉」であると判断したとき、その識別情報の表示された表示手段９の画面領域４３を指で触れる。コンピュータ３９は、作業者２７によって選択された「１２１ △△ 秀 １６玉」を最上段の画面領域４４に表示させ、この識別情報を確認する機会を作業者２７に与える。
【００３１】
続いて、作業者２７は、自らが選択した物品３の識別情報が画面領域４４に表示されたことを了解したとき、「発行」の表示された画面領域４６を指で触れる。これにより作業者２７の選択した識別情報が供給手段１３によって貼着シート３５に印刷され、識別標１１が作成される。更に、作業者２７は、排出路５から排出され物品３を搬送手段１５から取り上げ、容器３３に収納し、この容器３３に識別標１１を貼り付ける。
【００３２】
作業者２７は、自らが選択した物品３の識別情報と、画面領域４４に表示された識別情報との相違に気付いたとき、所望の識別情報の表示された画面領域４３を指で触れることにより、その識別情報を改めて選択することができる。
【００３３】
以上に述べたように、作業者２７は、表示手段９の表示する識別情報を一見するだけで、その識別情報に合致する物品３を複数の排出路５から排出される物品３の中から端的に特定することができる。更に、複数の排出路５に対応して配置された複数の供給手段１３が、個々の排出路５に仕分される物品３の識別情報を示した識別標１１を供給するので、作業者２７は、識別標１１を容器３３に付するだけで良く、識別標１１の表示と容器３３に収納する物品３とを逐一に照合する負担を軽減される。特に、識別標１１が貼着シート３５に物品３の識別情報を印刷したものである場合、作業者２７は識別標１１を容器３３に付する作業を容易に行うことができる。
【００３４】
また、ある１つの排出路５に仕分される物品３が別の種類の物品３に替えられたとき、その時点で表示手段９が別の物品３の識別情報を表示し、供給手段１３が別の物品３の識別情報を示した識別標１１を供給するので、作業者２７が識別標１１を容器３３に付する作業を中断しなくて済むという利点がある。以上に述べた効果は、本発明に係る仕分表示方法によっても達成される。
【００３５】
本発明による以上の効果は、８を超える個数の排出路５から物品３が排出され、或いは物品３が６を超える等階級に仕分されるとき更に顕著になる。また、本発明は、その趣旨を逸脱しない範囲で当業者の知識に基づき種々なる改良、修正、又は変形を加えた態様でも実施できる。仕分手段７は、複数の排出路５の上方で走行するチェーンに、物品３を受け止める受部材を取り付け、物品３が仕分されることになっている排出路５の上方に達したところで、上記の受部材を傾動させることにより、排出路５に物品３を滑降させる装置を適用しても良い。
【００３６】
上記４つの排出路５に１つの表示手段９、及び１つの供給手段１３が対応するように述べたが、１つの排出路５に１つの表示手段９、及び１つの供給手段１３を対応させても良い。排出路５は、物品３を搬送手段１５へ案内するシュートであっても良い。識別標１１は、容器３３に印字される文字、又は記号であっても良く、或いは容器３３に取り付けられるタグに文字、又は記号を記したものであっても良い。識別情報は、文字、数字、又はバーコードの他、図形、色彩、又はこれらの組み合わせであっても良い。また、識別標１１に代えて、識別情報を容器３３に押印するようにしても良い。
【産業上の利用可能性】
【００３７】
本発明は、青果物に限らず、あらゆる物品３を仕分し箱詰めするのに有益な技術である。
【符号の説明】
【００３８】
１...仕分表示装置、３，１０３...物品、５，１０１...排出路、７...仕分手段、９...表示手段、１１...識別標、１３...供給手段、１５...搬送手段、１７...ベルトコンベヤ、１９...トレー、２１...スイングアーム、２３...押出手段、２５...ローラ、２７...作業者、２９...仕切板、３１...ガイドレール、３３...容器、３５...貼着シート、３７...目線、３９...コンピュータ、４１...記録媒体、４３，４４，４６...画面領域、４５...設置場所、１０５...コンベヤ、１０７...識別ラベル。
【図１】
0005760787.tif 000002
【図２】
0005760787.tif 000003
【図３】
0005760787.tif 000004
【図４】
0005760787.tif 000005
【図５】
0005760787.tif 000006
【図６】
0005760787.tif 000007